(57)【要約】【課題】  消防団員が現場に持参する必要備品を収容する鞄であって、且つこれが担架にもなり得る担架転換型鞄を提供することを目的とする。【解決手段】  担架転換型鞄１０は、底面部１１の各辺から前面部１３，後面部１２，左側面部１４，右側面部１５が連なって立設し、更に後面部１２に蓋（上面部１６，垂れ部１７）が連接されており、内部に消防団用備品を収納できる。スライドファスナー２６L，２６Rを開けて展開し、上記面部１３，１１，１２，１６，１７を長く連ねた形とする。ループ２３L，２３R，２２L，２２R，２１L，２１Rにそれぞれトビ３０を挿通することで、担架として利用できる。【選択図】      図３
2006129940.tif 000002
【特許請求の範囲】
【請求項１】
少なくとも底面部，前面部，後面部，左側面部，及び右側面部を備えた収納用鞄であって、
これら面部間の稜辺部の一部または全部に開閉自在ファスナーを設けることによって、(1)前記前面部〜前記底面部〜前記後面部が連接して鞄素材を長く平面状に展開自在であるか、
(2)前記左側面部〜前記後面部か前記底面部か前記前面部のいずれか〜前記右側面部が連接して鞄素材を長く平面状に展開自在に構成され、
前記長く展開された鞄素材の長手方向の両辺部分或いはその近傍に沿って、それぞれ連続的または断続的に長尺棒挿通用のループが設けられたものであることを特徴とする担架転換型鞄。
【請求項２】
前記担架転換型鞄はその蓋を構成する上面部を備え、
該上面部は前記後面部或いは前記前面部に連接されたものであり、
前記上面部の左右の辺部分或いはその近傍に沿って、それぞれ連続的または断続的に長尺棒挿通用のループが設けられたものである請求項１に記載の担架転換型鞄。
【請求項３】
前記担架転換型鞄はその蓋を構成する上面部及び垂れ部を備え、
前記上面部は、前記後面部或いは前記前面部に連接されたものであり、
前記垂れ部は、前記上面部に連接され、前記前面部或いは前記後面部の少なくとも一部を覆うものであり、
前記上面部及び／または前記垂れ部における左右の辺部分或いはその近傍に沿って、それぞれ連続的または断続的に長尺棒挿通用のループが設けられたものである請求項１に記載の担架転換型鞄。
【請求項４】
前記ループが、断続的なものである請求項１〜３のいずれかに記載の担架転換型鞄。
【請求項５】
展開時に、前記左側面部と前記右側面部が対向した位置関係で、前記底面部或いは前記前面部，前記後面部のいずれかにそれぞれ連接した状態となるものであり、
前記左側面部と前記右側面部に一対の着脱部材を備え、該着脱部材によって環状に連結されるものである請求項１〜４のいずれかに記載の担架転換型鞄。
【請求項６】
前記着脱部材が、帯状部とその一方端に設けられた着脱ユニットとを備え、
前記左側面部と前記右側面部に前記帯状部の他方端がそれぞれ取り付けられたものである請求項５に記載の担架転換型鞄。
【請求項７】
前記担架転換型鞄は、前記後面部に連接された前記上面部を備えるか、或いは前記後面部に連接された前記上面部及びこの上面部に連接された前記垂れ部を備え、
展開時に、前記後面部に前記左側面部と前記右側面部が連接した状態となるものである請求項５または６に記載の担架転換型鞄。
【請求項８】
前記垂れ部は、その内部または内側面にクッション材が添設されたものである請求項３〜７のいずれかに記載の担架転換型鞄。
【発明の詳細な説明】
【技術分野】
【０００１】
本発明は鞄に関するものであり、殊に災害等の救援活動の際に有用な担架転換型鞄に関するものである。
【背景技術】
【０００２】
市町村の消防機関の一つとして消防団が設置されており、消火活動の他、大規模災害発生時の救助・救出活動等を行っている。消防団員は、普段は各自の職業に就き、火災等の際に急きょ出動するものであり、予てから緊急出動に備えて各種備品をそれぞれの自宅等に準備している。この備品としては、ヘルメット，活動服，防火衣，雨合羽，手袋，ゴーグル，安全帯，ゴム長靴，編上安全靴，簡易救急セット，マルチナイフ，水筒，懐中電灯，救助ロープ，警笛，信号灯等があり、予めこれらをまとめて鞄に詰めておき、緊急出動時にその鞄一つを持参するだけで済む様にすることが推奨されている。
【０００３】
ところで災害現場ではしばしば負傷者が出ることがあり、この負傷者を担架によって搬送することが行われる。
【０００４】
担架としては、２本の長い棒（或いはパイプ）の間に布地を張り付けたものが一般的であるが、この他、キャスター付き脚部が折畳み自在に設けられたもの（ストレッチャー）等も知られている。また特許文献１には、身体防護の目的で使用する耐炎性シート（該耐炎性シートを羽織って火災の熱等から身を守る）を利用し、これに形成された通し孔に竹竿を通して担架として兼用することも提案されている。
【特許文献１】特開平１０−２４８９５０号公報（特に段落〔０００９〕，〔００１７〕，〔００３７〕、図７）
【発明の開示】
【発明が解決しようとする課題】
【０００５】
前述の様に消防団活動に必要な各種備品をまとめて一つの鞄に収納しておくことが推奨されているものの、上記備品には様々なものがあって嵩張ることから、市販されている鞄には適当なものがあまりなく、消防団用備品専用の鞄が要望されている。
【０００６】
他方、災害時には担架を含めて様々なものが必要とされるが、緊急出動に際してあらゆる物を持参することは困難であり、最小限必要な備品にとどめざるを得ない。
【０００７】
そこで本発明は、消防団員が現場に持参する必要備品を収容する鞄であって、且つこれが担架にもなり得る担架転換型鞄を提供することを目的とする。
【課題を解決するための手段】
【０００８】
本発明に係る担架転換型鞄は、少なくとも底面部，前面部，後面部，左側面部，及び右側面部を備えた収納用鞄であって、これら面部間の稜辺部の一部または全部に開閉自在ファスナーを設けることによって、(1)前記前面部〜前記底面部〜前記後面部が連接して鞄素材を長く平面状に展開自在であるか、(2)前記左側面部〜前記後面部か前記底面部か前記前面部のいずれか〜前記右側面部が連接して鞄素材を長く平面状に展開自在に構成され、前記長く展開された鞄素材の長手方向の両辺部分或いはその近傍に沿って、それぞれ連続的または断続的に長尺棒挿通用のループが設けられたものであることを特徴とする。
【０００９】
つまり収納用鞄でありながらも、該鞄の少なくとも３つの面部を長く連接させたものとしつつ一部の稜辺を分離して平面状に展開自在とし、且つ展開状態のときに長手方向となる両辺部分（或いはその近傍）に沿って、長尺棒挿通用ループを設けたものである。そして該鞄を展開したときに、このループに長尺の棒状物を挿通することで、担架として使用できるものである。
【００１０】
該担架転換型鞄は鞄形状（立体的形状）のときは、消防団活動に必要な各種備品を収納することができる。そして消防団員は必ずこの備品を現場に持参するから、これらを収容する担架転換型鞄も現場に持ち込まれることになる。また消防団員の使用する消防車に少なくとも２本のトビが必ず設置されているので、このトビを上記ループに通す棒状物として使用することができる。従ってわざわざ専用の担架を現場に持参しなくても、上記担架転換型鞄を簡易な担架として用いることができ、便利である。
【００１１】
尚上記特許文献１に記載の身体防護シートの場合、これを担架として用いることができると共に、梱包材としても利用することができるものの、この梱包材としての利用法は風呂敷の様に１枚のシートで包む手法であり、本発明の如く鞄となるものではない。加えて本発明の担架転換型鞄と違って、上記身体防護シートは消防団員が必ず持参するという訳ではなく、意図的に持参する必要があり、結局のところ従来の様に別途担架を持参することと変わりがないものである。
【００１２】
本発明において上述の、少なくとも３つの面部を連接して鞄素材を長くする態様について詳しく述べると、(1)前面部〜底面部〜後面部と連接したもの、(2)として(2-1)左側面部〜後面部〜右側面部と連接したもの、(2-2)左側面部〜底面部〜右側面部と連接したもの、(2-3)前記左側面部〜前記前面部〜前記右側面部と連接したもの、更に(2-4)左側面部〜後面部〜右側面部〜前面部（或いは後面部〜右側面部〜前面部〜左側面部、右側面部〜前面部〜左側面部〜後面部、前面部〜左側面部〜後面部〜右側面部）と連接したものが挙げられる。
【００１３】
また上記開閉自在ファスナーとしては、スライドファスナーや面ファスナーの他、複数の鳩目ホックを線状に並べたもの等が挙げられる。
【００１４】
上記ループとしては長く展開された鞄素材の長手方向の全範囲に必ずしも設ける必要はなく、その一部に設ける様にしても良い。例えば前面部〜底面部〜後面部と連接したものの場合では、中央に位置する底面部にはループを設けずに、端側に位置する前面部と後面部にループを設ける様にしても良い。この様に少なくとも端側の位置にループを設けることで、担架を両端でしっかりと支えることができる。尚この場合にあって、ループを底面部に設けても勿論良く、よりしっかりと支えることが可能となる。
【００１５】
上記ループは連続的なもの、断続的なもののいずれでも良いが、断続的なものであることがより好ましい。例えば展開時の長手方向全体に一続きのループとして形成されたものの場合は、棒状物を挿通するにあたってループの途中で引っ掛かって通し辛いこともあるが、上記の様に断続的なものであれば、比較的短いループの一つずつに通すという手法となるから、通し易い。
【００１６】
加えて本発明における前記担架転換型鞄はその蓋を構成する上面部を備え、該上面部が前記後面部或いは前記前面部に連接されたものであり、前記上面部の左右の辺部分或いはその近傍に沿って、それぞれ連続的または断続的に長尺棒挿通用のループが設けられたものであることが好ましい。或いは前記担架転換型鞄はその蓋を構成する上面部及び垂れ部を備え、前記上面部が前記後面部或いは前記前面部に連接されたものであり、前記垂れ部が前記上面部に連接され、且つ前記前面部或いは前記後面部の少なくとも一部を覆うものであり、前記上面部及び／または前記垂れ部における左右の辺部分或いはその近傍に沿って、それぞれ連続的または断続的に長尺棒挿通用のループが設けられたものであることが好ましい。
【００１７】
この様に上面部、或いはこれと垂れ部が連接したものでは、前面部〜底面部〜後面部と連接して展開したときに、上面部，垂れ部が連なった分、長いものとなり、担架とした際に比較的身長の高い人も運ぶことが可能となる。尤も蓋のないタイプの担架転換型鞄であっても、前面部，後面部として縦に長いものを用いる（鞄の高さを高くする）こと等によって、展開状態のときに長いものとすることができるが、鞄容量が必要以上に大きくなる懸念がある。この点において蓋のあるタイプ（上面部，垂れ部を備えたもの）は鞄容量を大きくすることなく、長い担架とすることができる。
【００１８】
また本発明に係る担架転換型鞄においては、展開時に、前記左側面部と前記右側面部が対向した位置関係で前記底面部或いは前記前面部，前記後面部のいずれかにそれぞれ連接した状態となるものであり、前記左側面部と前記右側面部に一対の着脱部材を備え、該着脱部材によって環状に連結されるものであることが好ましい。担架とした際に、上記着脱部材によって担架に載置された人の胴回り等を止めることができ、安定性が増す。
【００１９】
更に前記着脱部材が、帯状部とその一方端に設けられた着脱ユニットとを備えるものであって、前記左側面部と前記右側面部に前記帯状部の他方端がそれぞれ取り付けられたものであることが好ましい。この様に帯状部で長くなった着脱部材であれば、鞄状態のときに、離れて位置する左側面部と右側面部を着脱部材によって架け渡すことができ、これにより鞄の内包物を保持することができる。加えて上記帯状部に長さ調節機構を設けたり、或いは上記着脱ユニットとして着脱位置調整可能なもの（例えば一対の面ファスナーを用いた場合、係合位置をずらすことができる）を用いたりすることにより、担架に載置された人の身体にフィットさせて着脱部材を連結させることが可能である。
【００２０】
左・右側面部への上記着脱部材の取付位置としては、左側面部，右側面部のそれぞれ開放端側（展開状態のときの端側）、上記底面部（或いは前面部，後面部）との連接辺部分近傍、左側面部，右側面部の中央部分等のいずれの位置であっても良い。
【００２１】
また前記担架転換型鞄が、前記後面部に連接された前記上面部を備えるか、或いは前記後面部に連接された前記上面部及びこの上面部に連接された前記垂れ部を備えたものにおいて、展開時に、前記後面部に前記左側面部と前記右側面部が連接した状態となるものであることが好ましい。上記の如く上面部、或いは上面部と垂れ部を備えたものの場合は、展開時において、担架に載置された人の腰の辺りが後面部の位置にくることから、後面部に連なった左・右側面部を着脱部材で連結することにより、身体のほぼ中心部分が止められて、安定性が良い。
【００２２】
更に本発明において、前記垂れ部の内部または内側面にクッション材が添設されたものであることが好ましい。担架とした際、垂れ部の方を頭側とした場合に、上記クッション材が枕の役目を果たし、載置された人にとって比較的楽である。
【発明の効果】
【００２３】
本発明に係る担架転換型鞄によれば、消防団員が現場に持参する各種の備品を一纏めに収容する鞄としての役目を果たし、且つこれを展開状態とすれば、担架として利用することができる。そして消防団の必要備品を収納した上記担架転換型鞄は現場に持ち込まれることになるので、別途担架を持参しなくても、緊急に担架が必要となった場合にその要請に応えることができる。
【発明を実施するための最良の形態】
【００２４】
＜実施形態１＞
図１，２は本発明の実施形態１に係る担架転換型鞄１０を示す図であり、図１は鞄状態としたときの斜視図であって、その（ａ）は外観図、（ｂ）は蓋を開けて中を見た図であり、図２は平面状に展開したときの平面図である。
【００２５】
この担架転換型鞄１０は、図１に示す様に矩形の底面部１１の各辺からそれぞれ矩形の前面部１３，後面部１２，左側面部１４，右側面部１５が連なって立設して、この内部に各種物品を収納できる様になっている。そしてこの鞄開口（前面部１３，左側面部１４，後面部１２，右側面部１５の各上辺１３ａ，１４ａ，１２ａ，１５ａで形成される鞄開口）を覆う上面部１６が後面部１２の上辺１２ａから連なり、続いてこの上面部１６の前辺１６ａから垂れ部１７が連なって蓋ができる様になっている。垂れ部１７の先端には留め部材１８が設けられており、蓋部分（上面部１６及び垂れ部１７）を前面部１３の外側面に留めることができる。
【００２６】
鞄本体を構成する上記底面部１１，前面部１３，後面部１２，左側面部１４，右側面部１５，上面部１６及び垂れ部１７の素材には、例えばポリアミド（ナイロン）製布地が用いられている。この様に鞄本体の素材には十分な強度があり、また汚れが付着し難いものを用いるのが良い。また垂れ部１７は二重になった布の間に発泡ポリウレタンシート等のクッション材が挟まれている。
【００２７】
上面部１６にはその前後の辺１６ａ，１２ａ及び右辺１６ｃに沿う様にその近傍に切れ目２９ａ，２９ｂ，２９ｃが設けられ、このうちの前後辺１６ａ，１２ａ近傍の切れ目２９ａ，２９ｂにはスライドファスナー１９が取り付けられている。また両スライドファスナー１９のスライダー１９ａを繋げる様に引張紐３２が取り付けられている。これらのスライドファスナー１９を開けることで、上面部１６の中央部分が切れ目２９ａ，２９ｂ，２９ｃに沿って開き、内容物を簡易的に取り出せる様になっている。
【００２８】
更に後面部１２の上辺１２ａには取っ手（把手）３１が取り付けられ、この取っ手３１により鞄１０を持てる様になっている。加えて左側面部１４及び右側面部１５のそれぞれ上辺１４ａ，１５ａには、肩掛け紐（図示せず）を取り付ける為のアタッチメント３３がそれぞれ設けられている。尚図１では取っ手３１を１つ設けたものを示したが、２つ以上設けても勿論良く（例えば後述の図７に示す例の様に後面部及び前面部１３の上辺にそれぞれ１つずつ（合計２つ）設ける等）、取っ手３１をいくつ、いずれの様に設けても良い。
【００２９】
左側面部１４及び右側面部１５の内側面には、やや後面部１２との連接辺（稜辺部）１２ｂ，１２ｃ寄りであって高さ方向の中程に、それぞれ着脱部材２４の帯状部２４ａの一方端が縫着されている。これら帯状部２４ａの他方端には一対の面ファスナー（鈎，ループ型係合部材２４ｂ1，２４ｂ2）（着脱ユニット）がそれぞれ取り付けられており、左側面部１４側の面ファスナーの鈎型係合部材２４ｂ1と右側面部１５側の面ファスナーのループ型係合部材２４ｂ2を係脱自在に係合することができる。
【００３０】
図２に示す様に、前面部１３，後面部１２の内面側において、それぞれ左右の連接辺（稜辺部）１３ｂ，１３ｃ，１２ｂ，１２ｃの近傍には、長尺棒挿通用のループ２３L，２３R，２２L，２２Rがそれぞれ設けられており、また上面部１６と垂れ部１７の内面側における左右の辺１６ｂ，１６ｃ，１７ｂ，１７ｃの近傍には、これら上面部１６から垂れ部１７にかけて一続きの長尺棒挿通用のループ２１L，２１Rが設けられている。
【００３１】
前面部１３と左側面部１４の連接辺（稜辺部）１３ｂから底面部１１と左側面部１４の連接辺（稜辺部）１１ｂにかけて、及び前面部１３と右側面部１５の連接辺（稜辺部）１３ｃから底面部１１と右側面部１５の連接辺（稜辺部）１１ｃにかけて、それぞれスライドファスナー２６L，２６Rが設けられている。尚図中２６ａはこのスライドファスナー２６L，２６Rのスライダーである。
【００３２】
前面部１３と底面部１１の連接辺（稜辺部）１１ｄ、底面部１１と後面部１２の連接辺（稜辺部）１２ｄ、後面部１２と上面部１６の連接辺（稜辺部）１２ａ、上面部１６と垂れ部１７の連接辺（稜辺部）１６ａは、それぞれ分離できない様に繋がっており、展開時にこれら前面部１３，底面部１１，後面部１２，上面部１６，垂れ部１７が直線状に長く連なる様になる。また後面部１２と左側面部１４の連接辺（稜辺部）１２ｂ、及び後面部１２と右側面部１５の連接辺（稜辺部）１２ｃも、それぞれ分離できない様に繋がっている。
【００３３】
尚、上記担架転換型鞄１０における各部のサイズの一例について述べると、前面部１３，後面部１２の縦長さ（鞄状態のときの高さ）Ｔ：４３cm、底面部１１，前面部１３，後面部１２，上面部１６，垂れ部１７の幅（鞄状態のときの横幅）Ｗ：６３cm、底面部１１，上面部１６，左側面部１４，右側面部１５の奥行き幅（鞄状態のときの奥行き）Ｓ：２５cm、垂れ部１７の長さ（蓋の前垂れ長さ）Ｕ：１７cmで、展開状態のときの長手方向の長さＶ：１５３cmであり、ループ２３L，２３Rの長さＬ3：３９cm、ループ２２L，２２Rの長さＬ2：３３cm、ループ２１L，２１Rの長さＬ1：３９cmのものが挙げられる。
【００３４】
次にこの実施形態１の担架転換型鞄１０の使用法について説明する。
【００３５】
鞄として用いるにあたっては、図１に示す様に左右のスライドファスナー２６L，２６Rを閉めて直方体型（尚、該直方体型には角部分が丸くなったもの等も含まれる）の鞄形状にする。このとき、左側面部１４側の面ファスナーの鈎型係合部材２４ｂ1と右側面部１５側の面ファスナーのループ型係合部材２４ｂ2を係合することによって、鞄内の中程において左側面部１４から右側面部１５に着脱部材２４が架け渡され、これによって内容物を支えることができる（図１（ｂ））。
【００３６】
担架として用いるにあたっては、留め部材１８を外して蓋（上面部１６及び垂れ部１７）を開け、左右のスライドファスナー２６L，２６Rを開けて平面状に展開する。これにより図２に示す様に、前面部１３〜底面部１１〜後面部１２〜上面部１６〜垂れ部１７が、直線状に長く連なり、また後面部１２から左・右側面部１４，１５が連なった状態となる。そして左右のループ２３L，２３R，２２L，２２R，２１L，２１Rにそれぞれトビ３０を挿通する（図３：展開状態の担架転換型鞄１０にトビ３０を取り付けた様子を表す上面図）。このとき、図に示す様に左右のループがそれぞれ３つに分離し（ループ２３L，２２L，２１L、ループ２２R，２３R，２１R）、且つ各々離れて位置しているから、一続きのループの場合と違って、トビ（長尺棒）３０を挿通し易い。尚図３中、３６はトビ３０の棒部、３４はトビ３０の鎌部、３５は鎌部３４のカバーである。
【００３７】
以上の様にして担架の形となり、人を乗せて運ぶことができる。
【００３８】
尚トビ３０の長さは一般に１８２cmであり、十分に長いので上述の如くループに通す長尺棒として利用できる。しかもトビ３０は消防団員の消防車に必ず２本以上設置されているから、別途長尺棒を準備する必要もない。
【００３９】
図４は担架転換型鞄１０を担架の状態として、人４０を乗せた様子を表す上面図である。人４０が垂れ部１７側を頭にして横臥したとき、人４０の腰部分に着脱部材２４が位置し、この着脱部材２４を係合する（左側面部１４側の面ファスナーの鈎型係合部材２４ｂ1と右側面部１５側の面ファスナーのループ型係合部材２４ｂ2を係合する）ことによって、人４０を腰の位置でしっかりと保持することができ、安定性が増す。
【００４０】
尚面ファスナーのループ型係合部材２４ｂ2として長いものを用いることで、これに鈎型係合部材２４ｂ1を係合させるにあたり、その係合位置を調整して人４０の身体に着脱部材２４をフィットさせることができる。
【００４１】
また垂れ部１７にはクッション材が添設されているから、担架に乗った人４０にとって枕をあてがった様になり、楽である。
【００４２】
以上の様に担架転換型鞄１０によれば、鞄としての用途の他、簡易な担架としても使用することができる。そしてこの担架転換型鞄１０に消防団員が持参する備品を収容することにすれば、消防団員によって該担架転換型鞄１０も現場に持ち込まれることになり、意識的に持参することなく、適宜担架として使用できて便利である。
【００４３】
＜実施形態２＞
図５は本発明の実施形態２に係る担架転換型鞄２０を示す図であって、これを平面状に展開したときの平面図である。尚図５において、ループに通したトビ３０を併せて示している。また図１〜３と同じ構成部分については同一の符号を付して重複説明を避ける。
【００４４】
担架転換型鞄２０の前面部１３，底面部１１，後面部１２，上面部１６，垂れ部１７のそれぞれ左右の辺１３ｂ，１３ｃ，１１ｂ，１１ｃ，１２ｂ，１２ｃ，１６ｂ，１６ｃ，１７ｂ，１７ｃの近傍には、上記実施形態１に比べて短めの長尺棒挿通用ループ４３L，４３R，４１L，４１R，４２L，４２R，４６L，４６R，４７L，４７Rがそれぞれ設けられている。また左側面部１４及び右側面部１５の開放端側辺１４ｂ，１５ｂの近傍に着脱部材４４が取り付けられている。該着脱部材４４にはそれぞれ一対の面ファスナー４４ｂ1，４４ｂ2が設けられている。その他の構成は実施形態１と同様である。
【００４５】
本実施形態２の担架転換型鞄２０を鞄として使用する際には、スライドファスナー２６L，２６Rを閉じて直方体型鞄とする。
【００４６】
担架転換型鞄２０を担架とする場合には、スライドファスナー２６L，２６Rを開けて展開状態とし、上記ループ４３L，４３R，４１L，４１R，４２L，４２R，４６L，４６R，４７L，４７Rにそれぞれトビ３０を通す。そして人を乗せ、左側面部１４と右側面部１５を閉じる様にして面ファスナー４４ｂ1，４４ｂ2を係合し、載置された人を保持する。
【００４７】
本実施形態２においても担架転換型鞄２０を消防団員が持参する備品収容用の鞄として用いれば、該担架転換型鞄２０が現場に持ち込まれることになり、適宜簡易な担架として使用できて便利である。
【００４８】
＜実施形態３，４＞
図６，７は本発明の実施形態３，４に係る担架転換型鞄５０，６０を示す図であって、鞄形状にしたときの斜視図である。尚図１〜３と同じ構成部分については同一の符号を付して重複説明を避ける。
【００４９】
実施形態３の担架転換型鞄５０（図６）は、上記実施形態１とは異なって垂れ部１７がないものであり、上面部１６のみで蓋がされている。そしてこの蓋（上面部１６）を前面部１３に止める為のスライドファスナー５６が設けられている。
【００５０】
実施形態４の担架転換型鞄６０（図７）は蓋がなく、上方が開口したものとなっている。また前面部１３と後面部１２の上辺１３ａ，１２ａのそれぞれに取っ手３１が取り付けられている。
【００５１】
これら担架転換型鞄５０，６０においても、スライドファスナー２６L，２６Rを閉じているときには、上記消防団用備品を収納する鞄として用いることができ、そしてスライドファスナー２６L，２６Rを開けることで平面状に展開できて、鞄内側面に設けられた長尺棒挿通用のループにトビ等を挿通することにより、担架として用いることができる。
【００５２】
以上、本発明に係る担架転換型鞄に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００５３】
例えば上記実施形態１〜４では展開状態のときに、前面部１３〜底面部１１〜後面部１２、或いは更に上面部１６、更に垂れ部１７が直線状に連なる担架転換型鞄１０，２０，５０，６０を示したが、これに限るものではなく、展開状態のとき左側面部１４〜後面部１２〜右側面部１５〜前面部１３が直線状に連なる様に構成され、各面部の上下辺（長手方向の辺部分）近傍に長尺棒挿通用のループを設けたもの等であっても良い。
【００５４】
また上記実施形態１〜４では鞄状態のときに、直方体型を呈するものを示したが、これに限らず、例えば円筒状（或いは楕円筒状）となるものであっても良い。この場合において、前面部，底面部，後面部，上面部，垂れ部のそれぞれの境界は明瞭でないが、これらの位置関係によって前面部や底面部等と称される。
【００５５】
更に例えば上記実施形態１における前面部１３，底面部１１，後面部１２，上面部１６，垂れ部１７の一部または全部に発泡スチロール等の発泡合成樹脂製板状部材を添設しても良く（例えば２枚の布の間に発泡スチロール製板状部材を挟む）、これにより担架転換型鞄１０の形がしっかりとする上、水難の際に浮きとしても用いることができる。
【図面の簡単な説明】
【００５６】
【図１】本発明の実施形態１に係る担架転換型鞄について鞄状態としたときの斜視図であって、（ａ）は外観図、（ｂ）は蓋を開けて中を見た図である。
【図２】本発明の実施形態１に係る担架転換型鞄について平面状に展開したときの平面図である。
【図３】展開状態とした実施形態１の担架転換型鞄にトビを取り付けた様子を表す上面図である。
【図４】実施形態１の担架転換型鞄を担架の状態として、人を乗せた様子を表す上面図である。
【図５】本発明の実施形態２に係る担架転換型鞄について平面状に展開したときの平面図である。
【図６】本発明の実施形態３に係る担架転換型鞄について鞄状態にしたときの斜視図である。
【図７】本発明の実施形態４に係る担架転換型鞄について鞄状態にしたときの斜視図である。
【符号の説明】
【００５７】
１０，２０，５０，６０  担架転換型鞄
１１  底面部
１２  後面部
１３  前面部
１４  左側面部
１５  右側面部
１６  上面部
１７  垂れ部
２１L，２１R，２２L，２２R，２３L，２３R，４１L，４１R，４２L，４２R，４３L，４３R，４６L，４６R，４７L，４７R  長尺棒挿通用ループ
２４，４４  着脱部材
２４ａ  帯状部
２４ｂ1  鈎型係合部材
２４ｂ2  ループ型係合部材
２６L，２６R  スライドファスナー
３０  トビ
【図１】
2006129940.tif 000003
【図２】
2006129940.tif 000004
【図３】
2006129940.tif 000005
【図４】
2006129940.tif 000006
【図５】
2006129940.tif 000007
【図６】
2006129940.tif 000008
【図７】
2006129940.tif 000009